(57)【特許請求の範囲】
【請求項１】
充電回路であって、
携帯端末の充電インタフェースとバッテリーとの間に位置し、
前記充電インタフェースに接続され、前記充電インタフェースを介して充電のための直流電力を受けるとともに、前記充電インタフェースから供給される直流電力を交流電力に変換する第１回路と、
前記バッテリーに接続され、前記第１回路から出力される交流電力を受けるとともに、前記第１回路から出力される交流電力を直流電力に変換して前記バッテリーを充電する第２回路と、
前記第１回路と前記第２回路との間に位置し、前記第１回路と前記第２回路との間の直流路を遮断する容量結合素子と、を含み、
前記第１回路は、前記容量結合素子の一端及びアースにそれぞれ接続され、前記第１回路の内部のスイッチを制御することで、前記容量結合素子におけるコンデンサを充電させたり、前記容量結合素子におけるコンデンサから前記第１回路に接続されるアースに放電させたりして、前記充電インタフェースから供給される直流電力を交流電力に変換し、
前記容量結合素子は、前記第１回路が正常に動作する場合に前記第１回路から出力される交流電力を前記第２回路に伝達し、前記第１回路が故障で交流電力を生成していない場合に前記第１回路から出力される直流電力を遮断することを特徴とする充電回路。
【請求項２】
前記第１回路は、アーム回路と、前記アーム回路を制御するための制御回路とを含み、
前記制御回路は、前記アーム回路を制御することで前記コンデンサを交互に充放電させることを特徴とする請求項１に記載の充電回路。
【請求項３】
前記容量結合素子におけるコンデンサは、プリント回路基板ＰＣＢからなるコンデンサまたはフレキシブルプリント回路基板ＦＰＣからなるコンデンサの何れかであることを特徴とする請求項１乃至２のいずれか一項に記載の充電回路。
【請求項４】
前記容量結合素子におけるコンデンサのサイズや形状、厚さは、前記充電回路の構造に応じて設計されることを特徴とする請求項１乃至３のいずれか一項に記載の充電回路。
【請求項５】
前記第１回路は、アーム回路を含み、
前記アーム回路は、複数の金属酸化物半導体電界効果トランジスタＭＯＳＦＥＴを含むことを特徴とする請求項１乃至４のいずれか一項に記載の充電回路。
【請求項６】
前記第２回路は、整流回路及びフィルタ回路を含むことを特徴とする請求項１乃至５のいずれか一項に記載の充電回路。
【請求項７】
充電インタフェース及びバッテリーを含む携帯端末であって、
前記充電インタフェースと前記バッテリーとの間には、請求項１乃至６のいずれか一項に記載の充電回路が設置されることを特徴とする携帯端末。
【請求項８】
前記充電インタフェースは、ユニバーサルシリアルバスＵＳＢのインタフェースであることを特徴とする請求項７に記載の携帯端末。
【請求項９】
前記携帯端末は、通常充電モード及び急速充電モードを備え、
前記急速充電モードは、前記通常充電モードよりも充電電流が大きいことを特徴とする請求項７または８に記載の携帯端末。
【発明の詳細な説明】
【技術分野】
【０００１】
本発明は、携帯端末領域に関し、特に、充電回路及び携帯端末に関する。
【背景技術】
【０００２】
携帯端末の普及が進んでいるため、携帯端末の充電問題は携帯端末のプロバイダーにとって重要な点である。
【０００３】
図１は、従来の携帯端末に用いられる充電回路の回路図である。この回路はＢＵＣＫ回路と称され、主に、ＭＯＳトランジスタ、制御回路、ダイオード、インダクタ及びバッテリーを含む。充電時に、制御回路は、ＭＯＳトランジスタのオンオフを制御し、可変の方形波電流を生成する。この方形波電流は、ＭＯＳトランジスタからインダクタへ流れ、インダクタによって安定化された後にバッテリーに流れる。
【発明の概要】
【発明が解決しようとする課題】
【０００４】
従来、ＭＯＳトランジスタがブレークダウンされる可能性があり、ＭＯＳトランジスタのブレークダウンによって電流がインダクタ、電流電圧検査回路及びバッテリーをそのまま通るようになり、バッテリー電圧が最大制限値を超えてしまい、破壊的災難に至る虞がある。
【０００５】
ＭＯＳトランジスタに破損が起きる原因としては、１）ＭＯＳトランジスタを誤って導通させ、ＭＯＳトランジスタの両端に印加する電圧がＭＯＳトランジスタの最大耐圧、静電破壊またはサージ電圧を超えること、２）ＭＯＳトランジスタの品質が不良であったり、製造工程に問題があったりすること、及び３）他の欠陥などがある。
【０００６】
このように、ＭＯＳトランジスタにおける問題が多い。従来技術では、上記問題を解決し、ＭＯＳトランジスタの信頼性を向上させるために、ＭＯＳトランジスタのオン抵抗（ＲＤＳＯＮ）の値を大きくして、ＭＯＳトランジスタの耐圧性を向上させる。しかしながら、オン抵抗の値が大きくなると、充電回路が発熱しやすくなり、エネルギーの伝達効率が低いという問題などが生じる。
【０００７】
本発明は、信頼性を向上可能な充電回路及び携帯端末を提供することである。
【課題を解決するための手段】
【０００８】
上記目的を達成するために、本発明の一実施形態に係る充電回路は、携帯端末の充電インタフェースとバッテリーとの間に位置し、第１回路と、第２回路と、容量結合素子とを含む。前記第１回路は、前記充電インタフェースに接続され、前記充電インタフェースを介して充電のための直流電力を受けるとともに、前記充電インタフェースから供給される直流電力を交流電力に変換する。前記第２回路は、前記バッテリーに接続され、前記第１回路から出力される交流電力を受けるとともに、前記第１回路から出力される交流電力を直流電力に変換して前記バッテリーを充電する。前記容量結合素子は、前記第１回路と前記第２回路との間に位置し、前記第１回路と前記第２回路との間の直流路を遮断する。前記容量結合素子は、前記第１回路が正常に動作する場合に前記第１回路から出力される交流電力を前記第２回路に結合させ、前記第１回路が故障で交流電力を生成していない場合に前記第１回路から出力される直流電力を遮断する。
【０００９】
一実施形態では、前記第１回路は、前記第１回路の内部のスイッチを制御することで、前記容量結合素子におけるコンデンサを充放電させ、前記充電インタフェースから供給される直流電力を交流電力に変換する。
【００１０】
一実施形態では、前記第１回路は、アーム回路と、前記アーム回路を制御するための制御回路とを含む。前記制御回路は、前記アーム回路を制御することで前記コンデンサを交互に充放電させる。
【００１１】
一実施形態では、前記容量結合素子におけるコンデンサは、プリント回路基板ＰＣＢからなるコンデンサまたはフレキシブルプリント回路基板ＦＰＣからなるコンデンサの何れかである。
【００１２】
一実施形態では、前記容量結合素子におけるコンデンサのサイズや形状、厚さは、前記充電回路の構造に応じて設計される。
【００１３】
一実施形態では、前記第１回路は、アーム回路を含む。前記アーム回路は、複数の金属酸化物半導体電界効果トランジスタＭＯＳＦＥＴを含む。
【００１４】
一実施形態では、前記第２回路は、整流回路及びフィルタ回路を含む。
【００１５】
本発明の他の実施形態に係る携帯端末は、前記充電インタフェースと前記バッテリーとの間には、上述した充電回路が設置される。
【００１６】
他の実施形態では、前記充電インタフェースは、ユニバーサルシリアルバスＵＳＢのインタフェースである。
【００１７】
他の実施形態では、前記携帯端末は、通常充電モード及び急速充電モードを備える。前記急速充電モードは、前記通常充電モードよりも充電電流が大きい。
【発明の効果】
【００１８】
本発明では、容量結合素子により充電線の直流路が遮断され、すなわち、充電回路には直流路が存在しないことになる。こうすることで、第１回路が動作していない場合には、充電インタフェースから出力される直流電力を第２回路及びバッテリーにそのまま出力することなく、充電回路の信頼性を向上させることできる。
【００１９】
本発明の実施形態における技術内容をより明確に説明するために、以下に実施形態の説明に必要な添付図面を簡潔に説明する。以下の説明における添付図面は、本発明の実施形態のいくつかを示しているにすぎず、当業者はこれらの添付図面から創造的な努力なしに別の図面を導き出し得ることは明らかである。
【図面の簡単な説明】
【００２０】
【図１】従来技術の充電回路の回路図である。
【図２】本発明の一実施形態に係る充電回路を示す概略ブロック図である。
【図３】本発明の一実施形態に係る充電回路の例を示す図である。
【図４】本発明の一実施形態に係る充電回路の例を示す図である。
【図５】本発明の一実施形態に係る携帯端末を示す概略ブロック図である。
【発明を実施するための形態】
【００２１】
以下、本発明の実施形態による添付図面を参照して本発明の実施形態による技術的解決策を明確かつ完全に説明する。説明されている実施形態は、本発明のすべての実施形態ではなく一部にすぎないことは明らかである。当業者が創造的な努力なしに本発明の実施形態に基づいて得られる他のすべての実施形態は、本発明の保護範囲の中にある。
【００２２】
図２は、本発明の一実施形態に係る充電回路を示す概略ブロック図である。図２に示すように、充電回路３０は、携帯端末の充電インタフェース１０とバッテリー２０との間に設置され、第１回路３１、第２回路３２及び容量結合素子３３を含む。第１回路３１は、充電インタフェース１０に接続され、充電インタフェース１０を介して充電のための直流電力を受けて交流電力に変換する。第２回路３２は、バッテリー２０に接続され、第１回路３１から出力される交流電力を受けて直流電力に変換し、バッテリー２０を充電する。容量結合素子３３は、第１回路３１と第２回路３２との間に位置し、第１回路３１と第２回路３２との間の直流路を遮断する。なお、容量結合素子３３は、第１回路が正常に動作する場合に第１回路３１から出力される交流電力を第２回路に結合させて伝達し、第１回路が故障で交流電力を生成していない場合に第１回路から出力される直流電力を遮断する。
【００２３】
本実施形態では、容量結合素子により充電線の直流路が遮断される。すなわち、充電回路には直流路が存在しないことになる。こうすることで、第１回路が動作していない場合には、充電インタフェースから出力される直流電力を第２回路及びバッテリーにそのまま出力することなく、充電回路の信頼性を向上させることできる。
【００２４】
充電インタフェース１０は、ユニバーサルシリアルバス（ＵｎｉｖｅｒｓａｌＳｅｒｉａｌ  Ｂｕｓ，ＵＳＢ）のインタフェースであってもよい。このＵＳＢインタフェースは、通常のＵＳＢインタフェースであってもよいし、ｍｉｃｒｏ  ＵＳＢインタフェースであってもよい。また、バッテリー２０は、リチウム電池であってもよい。
【００２５】
第２回路３２は、第１回路３１から出力される電流をバッテリー２０の充電に適切な充電電流に調整するように機能している。第２回路３２は、整流回路、フィルタ回路または定電圧回路などを含んでもよい。整流回路は、ダイオード整流回路またはトランジスタ整流回路であってもよい。整流回路の整流方式の詳細については、従来技術の整流方式を参照するため、その説明を省略する。
【００２６】
第２回路３２は、容量結合素子３３により第１回路３１から第２回路３２に結合される交流電力を、バッテリー２０の充電に適切な直流電力に調整する。
【００２７】
なお、第１回路３１が充電インタフェース１０から供給される直流電力を交流電力に変換することは、第１回路３１が容量結合素子３３におけるコンデンサを充放電させることで実現される。すなわち、第１回路３１は、一定の制御ロジックにより容量結合素子３３におけるコンデンサを充放電させる。制御ロジックの制御周波数が一定の程度に達した場合、コンデンサの観点からすると、第１回路３１から出力するのが交流電力である。また、コンデンサが交流電力を導通して直流電力を遮断する機能を有するため、交流電力は、コンデンサを介して第２回路３２に伝達されるようになる。
【００２８】
一実施形態において、第１回路３１は、その内部のスイッチを制御することで、容量結合素子３３におけるコンデンサを充放電させ、充電インタフェース１０から供給される直流電力を交流電力に変換してもよい。
【００２９】
本実施形態では、第１回路の内部には、スイッチ（例えば、ＭＯＳトランジスタ）が設置される。スイッチがブレークダウンしやすいことから、スイッチがブレークダウンした場合、第１回路は、スイッチにより直流を交流に変換することができない。その結果、充電インタフェースから入力される直流電力を、充電回路の後端の素子またはバッテリーにそのまま印加することになる。しかしながら、本実施形態では、第１回路と第２回路との間に、充電回路の直流路を遮断し、交流電力を導通し直流電力を遮断する容量結合素子が設置される。すなわち、第１回路におけるスイッチがブレークダウンしたり動作しなかったりしても、充電インタフェースから入力される直流電力は第２回路またはバッテリーに流れることができなくて、携帯端末の充電回路の安全性を向上させることができる。
【００３０】
また、容量結合素子が優れたアイソレーション特性を有するため、第１回路におけるスイッチのオン抵抗を小さくすることができる（従来のように、ＭＯＳトランジスタの耐圧性を向上させて回路の信頼性を向上させるためにオン抵抗を大きくする必要がない）。こうすることで、発熱や損失を抑制して、充電回路全体のエネルギー伝達効率を向上させることができる。
【００３１】
なお、本実施形態では、第１回路３１の具体的な形態、容量結合素子３３におけるコンデンサの数、及び第１回路３１と容量結合素子３３におけるコンデンサとの接続形態を例示したが、これらに限定されない。例えば、第１回路３１は、ハーフブリッジ回路であってもよいし、フルブリッジ回路であってもよい。また、容量結合素子３３は、１つのコンデンサを含んでもよいし、２つのコンデンサを含んでもよい。実際に、容量結合素子により第１回路３１から第２回路３２へのエネルギーの伝達を実現可能な上記回路及び素子の具体的な形態や接続関係であればよい。以下、本発明に係る充電回路について、具体的な実施例を挙げて説明する。
【００３２】
一実施形態において、第１回路３１は、アーム回路と、このアーム回路を制御するための制御回路とを含んでもよい。なお、制御回路は、アーム回路の動作を制御することで、コンデンサを充放電させる。例えば、第１回路３１がハーフブリッジ回路を含み、容量結合素子３３が１つのコンデンサを含み、第１回路３１及び第２回路３２が共にアースに接続され、第１回路３１がコンデンサの一端及びアースにそれぞれ接続され、コンデンサの他端が第２回路及びバッテリーを介してアースに接続されるようにしてもよい。第１回路３１は、ハーフブリッジ回路を制御することで、コンデンサを充電させたりコンデンサをアースに放電させたりすることができる。または、第１回路３１がフルブリッジ回路を含み、容量結合素子３３が２つのコンデンサを含んでもよい。この場合、フルブリッジ回路は、２つのコンデンサにそれぞれ接続される。第１回路３１は、フルブリッジ回路を制御することで、２つのコンデンサの電圧の方向を交互に変える。
【００３３】
なお、制御回路の給電形態としては、例えば、充電電流による給電や、携帯端末の内部の電源からの給電などがある。
【００３４】
一実施形態において、容量結合素子におけるコンデンサは、プリント回路基板（Ｐｒｉｎｔｅｄ  Ｃｉｒｃｕｉｔ  Ｂｏａｒｄ，ＰＣＢ）からなるコンデンサまたはフレキシブルプリント回路基板からなるコンデンサの何れかであってもよい。また、一実施形態においては、携帯端末の構造に合わせて、容量結合素子におけるコンデンサのサイズや形状、厚さを設計してもよい。
【００３５】
詳細には、ＰＣＢからなるコンデンサは、ＰＣＢ及びその上面の銅箔からなるコンデンサであってもよい。また、ＦＰＣからなるコンデンサは、ＦＰＣを用いて設計されたコンデンサであってもよい。なお、ＰＣＢからなるコンデンサ及びＦＰＣからなるコンデンサの利点としては、任意の形状や任意のサイズ、任意の厚さに設計されてもよいし、携帯等の端末の構造や形状に合わせて任意に設計できることである。
【００３６】
一実施形態において、第１回路３１は、アーム回路を含んでもよい。また、アーム回路は、複数の金属酸化物半導体電界効果トランジスタ（ＭＯＳＦＥＴ）を含んでもよい。
【００３７】
また、一実施形態において、第２回路は、整流回路及びフィルタ回路を含んでもよい。
【００３８】
以下、本実施形態について、具体的な例を挙げて説明する。図３及び図４は、当業者にとって本発明を明確にするための実施形態を示すが、本発明の実施形態を例示した数値や形態に限定するものではない。当業者であれば、図３及び図４に示す実施形態に基づいて各種の変動や潤色を行うことができるが、このような変動や潤色は本発明の保護を求める範囲内に属するものである。
【００３９】
例えば、図３に示すように、第１回路３１は、制御回路３１１及びハーフブリッジ回路３１２を含んでもよい。なお、ハーフブリッジ回路３１２は、スイッチＴ１及びスイッチＴ２を含んでもよい。容量結合素子３３は、コンデンサＣ１を含んでもよい。充電中において、制御回路３１１は、スイッチＴ１の動作とスイッチＴ２の動作とを交互に制御することで、コンデンサを充放電させる。その結果、直流電力を交流電力に変換し、コンデンサＣ１を介して第２回路３２及びバッテリー２０に流れる。
【００４０】
詳細には、充電中において、まず、制御回路３１１は、スイッチＴ１を導通させてスイッチＴ２を遮断させる。この場合、充電インタフェース１０から入力される直流電力は、スイッチＴ１を通ってコンデンサＣ１を充電するようになる。次に、制御回路３１１は、スイッチＴ１を遮断させてスイッチＴ２を導通させ、第１回路３１及び第２回路３２が共にアースに接続されるため、コンデンサＣ１がアースに放電する。制御回路３１１は、上記方式でハーフブリッジ回路を繰り返して制御すると、コンデンサＣ１を通ることが可能な交流電力が形成される。
【００４１】
ハーフブリッジ回路３１２におけるスイッチがブレークダウンされると、コンデンサＣ１は、充電インタフェース１０から出力される直流電力が第２回路３２及びバッテリーにそのまま流れるのを阻止する。その結果、充電回路の信頼性を向上させることができる。
【００４２】
図４に示すように、他の実施形態において、第１回路３１は、制御回路３１３及びフルブリッジ回路３１４を含んでもよい。なお、フルブリッジ回路３１４は、スイッチＴ１、スイッチＴ２、スイッチＴ３及びスイッチＴ４を含んでもよい。容量結合素子３３は、コンデンサＣ１及びコンデンサＣ２を含む。充電中において、制御回路３１３は、スイッチＴ１及びスイッチＴ４の動作を制御してから、スイッチＴ２及びスイッチＴ４の動作を制御し、コンデンサＣ１及びコンデンサＣ２の電圧の方向を交互に変える。その結果、直流電力を交流電力に変換し、コンデンサＣ１及びコンデンサＣ２を介して第２回路３２及びバッテリー２０に流れる。
【００４３】
詳細には、充電中において、まず、制御回路３１１は、スイッチＴ１及びスイッチＴ４を導通させてスイッチＴ２及びスイッチＴ３を遮断する。この場合、充電インタフェース１０から入力される直流電力は、スイッチＴ１、コンデンサＣ２、コンデンサＣ１及びスイッチＴ４を通ってアースに流れることで回路を形成する。次に、制御回路３１１は、スイッチＴ１及びスイッチＴ４を遮断させてスイッチＴ２及びスイッチＴ３を導通させる。この場合、充電インタフェース１０から入力される直流電力は、スイッチＴ３、コンデンサＣ１、コンデンサＣ２及びスイッチＴ２を通ってアースに流れることで回路を形成する。制御回路３１１は、上記方式でフルブリッジ回路の動作を繰り返して制御すると、コンデンサＣ１及びコンデンサＣ２を通ることが可能な交流電力が形成される。
【００４４】
フルブリッジ回路３１４におけるスイッチがブレークダウンされると、コンデンサＣ１及びコンデンサＣ２は、充電インタフェース１０から出力される直流電力が第２回路３２及びバッテリーにそのまま流れるのを阻止する。その結果、充電回路の信頼性を向上させることができる。
【００４５】
図５は、本発明の一実施形態に係る携帯端末を示す概略ブロック図である。図５に示すように、携帯端末５０は、充電インタフェース５１、バッテリー５２及び充電回路５３を含む。なお、充電回路５３は、上記充電回路３０のいずれかであってもよい。
【００４６】
本実施形態では、容量結合素子によって充電線の直流路が遮断され、すなわち、充電回路には直流路が存在しないようにする。こうすることで、第１回路が動作していない場合には、充電インタフェースから出力される直流電力を第２回路及びバッテリーにそのまま出力することがなく、充電回路の信頼性を向上させることができる。
【００４７】
一実施形態において、充電インタフェース５１は、ＵＳＢのインタフェースであってもよい。
【００４８】
一実施形態において、携帯端末５０は、通常充電モード及び急速充電モードを備えてもよい。なお、急速充電モードは、通常充電モードよりも充電電流が大きい。
【００４９】
なお、急速充電モードに対応する携帯端末に対して、ＭＯＳトランジスタがブレークダウンされたことが重大な問題になる。このため、本実施形態に係る携帯端末によれば、急速充電時にＭＯＳトランジスタのブレークダウンによる線路の信頼性の低下を抑えることができる。
【００５０】
本実施形態に係る充電回路は、直流電力を受けてバッテリーを充電し、第１回路、第２回路及び容量結合素子を含む。第１回路は、直流電力の入力端に接続され、充電インタフェースから供給される直流電力を交流電力に変換する。第２回路は、バッテリーに接続され、第１回路から出力される交流電力を受けて直流電力に変換し、バッテリーを充電する。容量結合素子は、第１回路と第２回路との間に位置し、第１回路と第２回路との間の直流路を遮断する。また、容量結合素子は、第１回路が正常に動作する場合に第１回路から出力される交流電力を第２回路に結合させ、第１回路が故障で交流電力を生成していない場合に第１回路から出力される直流電力を遮断する。
【００５１】
本実施形態では、容量結合素子によって充電線の直流路が遮断され、すなわち、充電回路には直流路が存在しないようにする。こうすることで、第１回路が動作していない場合には、充電インタフェースから出力される直流電力が容量結合素子によって遮断され、バッテリーを劣化させることがない。
【００５２】
一実施形態において、第１回路は、その内部のスイッチを制御することで、容量結合素子におけるコンデンサを充放電させ、充電インタフェースから供給される直流電力を交流電力に変換してもよい。
【００５３】
一実施形態において、第１回路は、アーム回路と、このアーム回路を制御するための制御回路とを含んでもよい。なお、制御回路は、アーム回路を制御することでコンデンサを交互に充放電させる。
【００５４】
一実施形態において、容量結合素子におけるコンデンサは、プリント回路基板（ＰＣＢ）からなるコンデンサまたはフレキシブルプリント回路基板（ＦＰＣ）からなるコンデンサの何れかであってもよい。
【００５５】
一実施形態において、第１回路は、アーム回路を含んでもよい。また、アーム回路は、複数の金属酸化物半導体電界効果トランジスタ（ＭＯＳＦＥＴ）を含んでもよい。
【００５６】
一実施形態において、第２回路は、整流回路及びフィルタ回路を含んでもよい。
【００５７】
一実施形態において、充電回路は、携帯端末に用いられてもよい。また、容量結合素子におけるコンデンサのサイズや形状、厚さは、携帯端末の構造に合わせて設計されてもよい。
【００５８】
当業者であれば、本明細書で開示した実施形態の組み合わせにおいて説明したユニット及びアルゴリズムステップは、電子ハードウェア、コンピュータソフトウェアまたは両者の組み合わせによって実現することができることがわかるであろう。機能がハードウェアまたはソフトウェアのいずれによって実行されるかは、特殊用途及び技術的解決策の設計制約条件によって決められる。当業者であれば、各特定のアプリケーションに対して説明された機能を実現するために異なる方法を使用してもよい。しかしながら、この実現は、本発明の実施形態の範囲を超えていると考えるべきではない。
【００５９】
説明上の便宜と簡潔のため、上記システム、装置及びユニットの動作プロセスの詳細については、上記方法の実施形態における対応するプロセスを参照できることは当業者が明らかに理解することであり、その詳細を省略する。
【００６０】
本明細書のいくつかの実施形態において、開示されているシステム、装置及び方法は、他の形態で実施されてもよいことは理解されるべきである。例えば、上記装置の実施形態は例にすぎない。例えば、ユニットの分割は論理的な機能分割にすぎず、実施時に他の分割形態であってもよい。例えば、複数のユニットまたはコンポーネントを別のシステムに結合もしくは統合してもよいし、幾つかの機能を無視したり実施しなかったりしてもよい。さらに、表示または説明した相互接続または直接接続、通信接続を幾つかのインタフェースを介して実施してもよい。装置またはユニットの間の間接的な接続または通信接続を、電気的形態、機械的形態または他の形態で実施してもよい。
【００６１】
分離した部分として説明したユニットは、物理的に分離してもよいし、分離しなくてもよい。ユニットとして示された部分は、物理的なユニットであってもよいし、物理的なユニットでなくてもよく、一カ所に配置されてもよいし、複数のネットワークユニットに分散されてもよい。当該ユニットの一部または全部は、実施形態の解決手段の目的を達成するための実際の必要に応じて選択されてもよい。
【００６２】
また、本発明の実施形態における機能ユニットは、１つの処理ユニットに組み込まれてもよいし、物理的に単独で存在してもよい。また、２つ以上のユニットは１つのユニットに組み込まれてもよい。
【００６３】
上記機能は、ソフトウェア機能ユニットの形態で実施され独立の製品として販売または使用されるときに、１つのコンピュータ読取可能記憶媒体に格納されてもよい。このような理解をもとに、原則として本発明の技術内容、または、先行技術に貢献する部分、または、当該技術内容の一部を、ソフトウェア製品の形で実施してもよい。コンピュータソフトウェア製品は、１つの記憶媒体に格納され、１つのコンピュータ装置（パーソナル・コンピュータ、サーバ、またはネットワーク装置であってもよい）に指示する幾つかのコマンドを含む。当該コマンドは、本発明の諸実施形態で説明した方法のステップの全部または一部を実施するためのものである。上記記憶媒体は、ＵＳＢフラッシュディスク、モバイルハードディスク、読み出し専用メモリ（Ｒｅａｄ−Ｏｎｌｙ  Ｍｅｍｏｒｙ，ＲＯＭ）、ランダムアクセスメモリ（Ｒａｎｄｏｍ    Ａｃｃｅｓｓ    Ｍｅｍｏｒｙ、ＲＡＭ）、磁気ディスク、または光ディスクのような、プログラムコードを格納できる任意の媒体を含む。
【００６４】
以上より、本発明の好適な実施形態を前述の通り開示したが、これらは決して本発明を限定するものではない。当業者であれば、本発明の精神及び範囲を含む各種の変動や潤色は、本発明の保護を求める範囲内に属するものであることを理解されたい。したがって、本発明の保護範囲は特許請求の範囲の保護範囲に従う。
【図１】
0006559778.tif 000002
【図２】
0006559778.tif 000003
【図３】
0006559778.tif 000004
【図４】
0006559778.tif 000005
【図５】
0006559778.tif 000006